(57)【要約】  【課題】  撮影タイムラグとＡＥ制御およびＡＦ制御の精度確保の両立  【解決手段】  電子カメラ１はＡＦ評価値の算出と並行してＡＥ評価値も算出する。算出されたＡＦ評価値およびＡＥ評価値はメモリ１８に一時記憶される。ＣＰＵ２６は算出したＡＦ評価値の中から最大の値を持つものを検出し、当該ＡＦ評価値が算出されたレンズ位置にフォーカスレンズを配置するとともに、このＡＦ評価値に対応づけられているＡＥ評価値に基づいて露光期間および絞り開口量を決定する。【選択図】    図１
2014174489.tif 000002
【特許請求の範囲】
【請求項１】
フォーカスレンズを通して撮像面が捉えた被写体像の電子画像を繰り返し出力する撮像手段、
前記フォーカスレンズと前記撮像面の光軸方向の距離を変更しながら、前記撮像手段によって繰り返し出力される電子画像に基づきＡＦ評価値およびＡＥ評価値を逐次算出する算出手段、および
前記ＡＥ評価値に基づき露出を調節する露出調節手段を備え、
前記露出調節手段は、前記ＡＦ評価値のうち最大となるＡＦ評価値が算出されたタイミングで算出したＡＥ評価値に基づいて露出調節をおこなう電子カメラ。
【請求項２】
前記算出手段によって逐次算出されるＡＦ評価値のうち、最大となるＡＦ評価値が算出されたレンズ位置に前記フォーカスレンズを配置するピント調節手段を備える請求項１記載の電子カメラ。
【請求項３】
前記フォーカスレンズは、所定期間ごとに所定距離だけ駆動し、
前記算出手段は、前記フォーカスレンズが駆動する毎にＡＦ評価値およびＡＥ評価値を算出する請求項１または２記載の電子カメラ。
【請求項４】
前記ＡＦ評価値および前記ＡＥ評価値を一時記憶する記憶手段および、
前記露出調節および前記ピント調節が完了した後に前記記憶手段に一時記憶されている前記ＡＦ評価値および前記ＡＥ評価値を消去する消去手段を備える請求項１乃至３記載の電子カメラ。
【発明の詳細な説明】
【技術分野】
【０００１】
本発明は、電子カメラに関し、特にフォーカス制御および露出制御に関わる。
【背景技術】
【０００２】
近年、多種多様な電子機器が普及している。その一例として、撮影レンズを介して撮像素子に結像させた被写体の光学像を光電変換することにより出力される画像信号を、静止画像や動画像として記録媒体等に記録させる電子カメラ（デジタルカメラ）がある。
【０００３】
この種の電子カメラは、自動で主要被写体にピントを合わせるＡＦ（Auto Focus）機能や自動で露出（換言すると絞りの開口量や露光期間。）を制御するＡＥ（Auto Exposure）機能を備える。
【０００４】
ＡＦ制御は、例えば次のように実現される。フォーカスレンズを駆動させながら、各レンズ位置において撮像素子が出力する画像信号に含まれる輝度信号をＨＰＦ（High-Pass Filter）に通過させ、当該輝度信号の高域周波数成分を検出する。
【０００５】
この輝度信号の高域周波数成分の積算値（以下、ＡＦ評価値と記載する。）を取得し、このＡＦ評価値が最大となるフォーカスレンズ位置、即ちピーク位置を探索し、この位置にフォーカスレンズが来るように制御する。このようにすることで、主要被写体にピントを合わせることができる。
【０００６】
ＡＥ制御は、例えば次のように実現される。撮像素子が出力する画像信号に含まれる輝度信号の積算値（以下、ＡＥ評価値と記載する。）を取得し、このＡＥ評価値に基づいて絞りの開口量、および露光期間などを決定する。
【０００７】
電子カメラは、撮影者からの撮影指示に応じて、ＡＦ制御およびＡＥ制御が完了した後、被写体の画像を記録する。
【特許文献１】特開２０１２−１２４５５６号公報
【発明の概要】
【発明が解決しようとする課題】
【０００８】
ＡＥ制御はＡＦ制御を行う前後のいずれかに実行される。図９は、ＡＦ処理後にＡＥ処理を行う場合の電子カメラの処理動作を示すタイミング図である。
【０００９】
図９の処理動作に従うと、電子カメラは、まずフォーカスレンズを駆動させながら露光を繰り返し、その露光結果から算出されたＡＦ評価値に基づいてピント調整、即ち、フォーカスレンズの配置位置を決定する。
【００１０】
電子カメラは、フォーカスレンズの配置位置が決定し、当該位置にフォーカスレンズを配置、即ち、ＡＦ制御が完了すると、続いて露出決定用の露光を行う。
【００１１】
電子カメラは、露出決定用の露光によって算出されたＡＥ評価値に基づいて絞りの開口量および露光期間を決定し、この決定にしたがって被写体の撮影（記録）を行う。
【００１２】
ＡＦ制御とＡＥ制御を個別に行うのはＡＦ制御中はフォーカスレンズが駆動しているため、被写体の輝度が変動しており、露光のタイミングによっては適切なＡＥ評価値を取得できず、ＡＥ制御の精度が低下するためである。
【００１３】
しかしながら、撮影者による撮影指示はどのタイミングで出されるか分からず、例えば、撮影者がシャッタチャンスを逃すまいと慌てて撮影指示を出したため、ＡＦ制御及びＡＥ制御が完了する前に電子カメラが撮影指示を受け付ける場合がある。
【００１４】
このような場合、電子カメラがＡＦ制御及びＡＥ制御が完了してから記録をおこなうと、撮影者による撮影指示が出されてから実際に画像が記録されるまでの間に時間差（以下、撮影タイムラグと記載する。）が生じる。
【００１５】
そのため、例えば主要被写体が移動物体などである場合、この撮影タイムラグによって、撮影者が意図する画角で画像が記録できない場合がある。
【００１６】
一方、電子カメラが撮影者による撮影指示を受け付けたタイミングで記録をおこなうとＡＦ制御及びＡＥ制御が完了する前に記録処理を実行することになり、ピントや露出が不適切な画像が記録されてしまう。
【課題を解決するための手段】
【００１７】
本発明は、上記課題に鑑みてなされたものであり、本発明にかかる電子カメラは、フォーカスレンズを通して撮像面が捉えた被写体像の電子画像を繰り返し出力する撮像手段、フォーカスレンズと撮像面の光軸方向の距離を変更しながら、撮像手段によって繰り返し出力される電子画像に基づきＡＦ評価値およびＡＥ評価値を逐次算出する算出手段、およびＡＥ評価値に基づき露出を調節する露出調節手段を備える。
【００１８】
露出調節手段は、ＡＦ評価値のうち最大となるＡＦ評価値が算出されたタイミングで算出されたＡＥ評価値に基づいて露出調節をおこなうことを特徴とする。
【発明の効果】
【００１９】
本発明にかかる電子カメラによると、ＡＦ制御中にＡＦ評価値だけでなく、ＡＥ評価値を併せて取得し、各ＡＦ評価値と対応づけて記憶しておく。
【００２０】
そして、最大のＡＦ評価値と対応づけて記憶されているＡＥ評価値に基づいてＡＥ制御を実行する。このようにすることで、撮影タイムラグを軽減しつつ、ＡＥ制御の精度も確保することができる。
【図面の簡単な説明】
【００２１】
【図１】本発明にかかる電子カメラ１の構成の概略を示すブロック図である。
【図２】通常撮影モード時における電子カメラ１の処理動作を示すフローチャートである。
【図３】評価部１６の内部構成の概略を示すブロック図である。
【図４】画像信号Ｐ、ＡＦエリア、ＡＥエリア、及び小領域１〜１６の概略を示す図解図である。
【図５】フォーカスレンズ位置とＡＦ評価値の関係の一例を示す模式図である。
【図６】本発明にかかる電子カメラ１のＡＥ制御およびＡＦ制御にかかる処理動作の一部を示すフローチャートである。
【図７】本発明にかかる電子カメラ１のＡＥ制御およびＡＦ制御にかかる処理動作の他の一部を示すフローチャートである。
【図８】従来のＡＦ制御およびＡＥ制御の処理動作と本発明に係るＡＦ制御およびＡＥ制御の処理動作を比較したタイミング図である。
【図９】従来のＡＦ制御およびＡＥ制御の処理動作を示すタイミング図である。
【発明を実施するための形態】
【００２２】
［実施例］
（電子カメラ１の構成の概略）
本発明の一実施形態について、図１に示すような電子カメラ１に適用した場合について説明する。
【００２３】
電子カメラ１は、被写体にピントを合わせるためのフォーカスレンズ２、露光量を調節する絞り４、被写体の光学像を画像信号に光電変換する撮像素子６、撮像素子６により変換された画像信号に相関二重サンプリング処理を施すＣＤＳ（Correlated Double Sampling）、自動ゲイン制御を施すＡＧＣ（Automatic Gain Control）、Ａ／Ｄ変換を施すＡＤＣ（Analog Digital Conversion）からなるＣＤＳ／ＡＧＣ／ＡＤＣ８を備えている。
【００２４】
また電子カメラ１は、フォーカスレンズ２、絞り４、撮像素子６およびＣＤＳ／ＡＧＣ／ＡＤＣ８を制御するドライバ１０、およびＣＤＳ／ＡＧＣ／ＡＤＣ８により処理された画像信号にホワイトバランス調整、色分離、およびＹＵＶ変換などの処理を施す信号処理部１２を備える。
【００２５】
また電子カメラ１は、信号処理部１２により処理が施された画像信号の画像領域全体の内、例えば、中央付近に複数の小領域からなるＡＦエリアおよびＡＥエリアを設定するエリア設定部１４、エリア設定部１４により設定されたＡＦエリアおよびＡＥエリアに含まれる画像信号の輝度信号からＡＦ評価値およびＡＥ評価値をそれぞれ算出し、後述するＣＰＵ２６に出力する評価部１６を備える。
【００２６】
また電子カメラ１は、画像信号をフレーム単位で一時記録するメモリ１８、メモリ１８に一時記録された画像信号や後述する記録媒体２４に記録されている画像ファイルを表示する表示部２０、シャッタボタン２２ｓを含む操作部２２、シャッタボタン２２ｓの操作に応じてメモリ１８に一時記録された画像信号を記録する記録媒体２４、電子カメラ１全体の制御を行うＣＰＵ２６を備えている。
【００２７】
撮像素子６は、例えば、ＣＣＤ（Charge Coupled Device）イメージセンサ、ＣＭＯＳ（Complementary Metal Oxide Semiconductor）イメージセンサ等の固体撮像素子が使用される。
【００２８】
メモリ１８は、例えば、ＶＲＡＭ（Video Random Access Memory）、ＳＲＡＭ（Static Random Access Memory）、ＤＲＡＭ（Dynamic Random Access Memory）、或いはＳＤＲＡＭ（Synchronous DRAM）などの一般的に用いられているメモリが使用される。
【００２９】
表示部２０は、例えば、ＬＣＤ（Liquid Crystal Display）モニタや有機ＥＬ（Electro-Luminescence）モニタが使用される。また、表示部２０は、人の指やタッチペンなどの接触を感知するタッチパネル式のモニタであっても構わない。
【００３０】
記録媒体２４は、例えばフラッシュメモリや内蔵型ＨＤＤ（Hard Disk Drive）などの電子カメラ１に内蔵される内部記録媒体、或いはＳＤメモリカードやメモリスティック（登録商標）外付けＨＤＤなどの電子カメラ１への着脱が自在な外部記録媒体が使用される。
【００３１】
また、電子カメラ１は焦点距離を変更することで被写体の撮影倍率を変更するズームレンズや暗所で撮影を行う場合に被写体を照射するストロボ装置（共に図示せず。）を備える。
【００３２】
（電子カメラ１の撮影処理動作）
次に、図２のフローチャートを参照して、電子カメラ１の静止画撮影時の基本動作について説明する。ユーザによって電子カメラ１の電源がオンにされると、電子カメラ１の駆動モードつまり撮像素子６の駆動モードがプレビューモードに設定される（Ｓ２０１）。
【００３３】
プレビューモードとは、撮影対象となる画像を記録することなく表示部２０に表示するモードであり、撮影対象を定め、構図を決定するために用いることができる。
【００３４】
続いて撮影モードの入力待ち状態となり、人物撮影に適したモード、移動物体の撮影に適したモード、逆光での撮影に適したモード等、電子カメラ１の機能や撮影シーンに応じたモードが選択される。撮影モードが入力されない場合は通常撮影モードが選択されたものとする。
【００３５】
プレビューモードでは、撮像素子６の光電変換動作によって得られたアナログの画像信号は、ＣＤＳ／ＡＧＣ／ＡＤＣ８においてデジタル画像信号に変換されて、信号処理部１２で色分離、ホワイトバランス調整、ＹＵＶ変換などの画像処理が施され、メモリ１８に書き込まれる。メモリ１８に書き込まれた画像信号は、逐次、表示部２０に表示される。
【００３６】
この結果、所定期間毎（例えば、１/３０秒毎や１/６０秒毎）に撮影領域を表すリアルタイム動画像（プレビュー画像）が表示部２０に逐次表示される。
【００３７】
続いてユーザが、撮影の対象とする被写体に対して所望の画角となるように、光学ズームでのズーム倍率を設定する（Ｓ２０３）。その際、信号処理部１２に入力された画像信号に基づきＣＰＵ２６がドライバ１０を駆動させ、これによって絞り４およびフォーカスレンズ２がそれぞれ制御され、最適なＡＦ制御・ＡＥ制御が行われる（Ｓ２０５）。ＡＦ制御及びＡＥ制御の詳細については後述する。
【００３８】
ユーザが撮影画角、構図を決定し、操作部２２のシャッタボタン２２ｓを半押しすると（Ｓ２０７でＹｅｓ）、ＡＦの最適化処理、およびＡＥの調整処理が行われる（Ｓ２０９）。
【００３９】
その後、シャッタボタンが全押しされると（Ｓ２１１でＹｅｓ）、ＴＧ（Timing Genelator：図示せず。）より、撮像素子６、ＣＤＳ／ＡＧＣ／ＡＤＣ８、及び信号処理部１２のそれぞれに対してタイミング制御信号が与えられる。
【００４０】
タイミング制御信号が与えられると、ＣＰＵ２６は、各部の動作タイミングを同期させ、撮像素子６の駆動モードを静止画撮影モードに設定し、撮像素子６から出力されるアナログ画像信号をＣＤＳ／ＡＧＣ／ＡＤＣ８でデジタル画像信号に変換して信号処理部１２内のフレームメモリ（図示せず。）に書き込む（Ｓ２１３）。
【００４１】
このデジタル画像信号がこのフレームメモリから読み込まれ、信号処理部１２において輝度信号及び色差信号の生成を行う信号変換処理などの各種信号処理が施される。
【００４２】
信号処理が施されたデジタル画像信号は、画像コーデック部（図示せず。）においてＪＰＥＧ（Joint Photographic Experts Group）形式に圧縮された（Ｓ２１５）後、記録媒体２４に圧縮画像が書き込まれて（Ｓ２１７）、撮影が完了する。その後、プレビューモードに戻る。
【００４３】
（ＡＦ制御およびＡＥ制御）
次に、図３乃至図５を参照してＡＦ制御およびＡＥ制御について説明する。ＡＦ制御は、例えば、次のように実現される。図３は、評価部１６の内部構成の概略を示すブロック図である。図４は電子カメラ１により取得された撮影領域の画像Ｐ、ＡＦエリア、およびＡＦエリアを分割することで生成される小領域１〜１６を示している。
【００４４】
評価部１６は、輝度信号の高域周波数成分を抽出するＨＰＦ１６１、ＨＰＦ１６１から出力される高域周波数成分を積算し、ＡＦ評価値を算出するＡＦ評価値積算部１６２、およびＡＥ評価値を積算するＡＥ評価値積算部１６３を備える。
【００４５】
エリア設定部１４によってＡＦエリアおよびＡＥエリアが設定された画像Ｐは評価部１６に出力される。
【００４６】
評価部１６では、画像Ｐをなす画像信号の内、ＡＦエリアの各小領域に属する画像信号に含まれる輝度信号をＨＰＦ１６１に入力する。
【００４７】
これによって、ＨＰＦ１６１から輝度信号の高域周波数成分がそれぞれ抽出され、この高域周波数成分がＡＦ評価値積算部１６２に出力される。ＡＦ評価値積算部１６２はＨＰＦ１６１から出力された輝度信号の高域周波数成分を積算する。
【００４８】
この処理を小領域１〜１６の夫々に対して行い、それらを積算したものをＡＦ評価値としてＣＰＵ２６に出力する。
【００４９】
一方、評価部１６は、ＡＦ評価値の積算と並行して、ＡＥ評価値の算出を行う。ＡＥ評価値積算部１６３は、小領域１〜１６のそれぞれに含まれる画像信号の輝度信号を積算し、それをＡＥ評価値としてＣＰＵ２６に出力する。
【００５０】
上述の処理を、例えば、図５に示すレンズ位置Ｐ１〜Ｐ１３の各レンズ位置で行う。ＣＰＵ２６は、各レンズ位置において評価部から出力されるＡＦ評価値をＡＦｅｖ_Ｐ(ｎ)、ＡＥ評価値をＡＥｅｖ＿Ｐ(ｎ)としてこれらをメモリ１８に一時記憶する。
【００５１】
Ｐ(ｎ)はレンズ位置を示し、例えば、レンズ位置Ｐ１で算出されたＡＦ評価値およびＡＥ評価値はそれぞれＡＦｅｖ_Ｐ１、ＡＥｅｖ_Ｐ１となり、レンズ位置Ｐ１３で算出されたＡＦ評価値およびＡＥ評価値はそれぞれＡＦｅｖ_Ｐ１３、ＡＥｅｖ_Ｐ１３となる。
【００５２】
そして、各レンズ位置で算出されたＡＦ評価値とＡＥ評価値は対応づけてメモリ１８に一時記憶される。
【００５３】
このようにして、各レンズ位置Ｐ１〜Ｐ１３においてＡＦ評価値及びＡＥ評価値の算出が完了すると、ＣＰＵ２６は、算出したＡＦ評価値ＡＦｅｖ_Ｐ１〜ＡＦｅｖ_Ｐ１３のうち、最大のＡＦ評価値を持つものを検出する。
【００５４】
そして、ＣＰＵ２６は最大のＡＦ評価値が算出されたレンズ位置にフォーカスレンズを配置するとともに、当該ＡＦ評価値に対応するＡＥ評価値に基づいて絞りの開口量および露光期間を決定する。
【００５５】
例えば、ＡＦ評価値の算出結果が、図５に示す結果であった場合、ＡＦｅｖ_Ｐ７が最大のＡＦ評価値となり、フォーカスレンズはレンズ位置Ｐ７に配置されるとともに、ＡＥｅｖ_Ｐ７に基づきＡＥ制御が行われることとなる。
【００５６】
即ち、ＣＰＵ２６は、ＡＥｅｖ_Ｐ７に基づいて決定した絞り開口量となるようドライバ１０を介して絞り４を駆動する。
【００５７】
ＡＦ制御およびＡＥ制御が完了すると、ＣＰＵ２６は、メモリ１８に一時記憶されていたＡＦ評価値およびＡＥ評価値はすべてクリアする。
【００５８】
上述したＡＦ制御にしたがうと、ＡＦ評価値が最大となるレンズ位置は、換言すると主要被写体にピントが合うレンズ位置である。
【００５９】
即ち、ＡＦ評価値が最大となるレンズ位置で露光した画像から算出されたＡＥ評価値はＡＦ制御完了後にＡＥ制御用の露光を行うことで算出されるＡＥ評価値と略同一の値となる。
【００６０】
したがって、当該ＡＥ評価値にしたがって露出を決定しても、被写体の明るさが不適切な画像が撮影されることはない。
【００６１】
このようにすることで、ＡＦ制御が完了すると略同時にＡＥ制御も完了するため、撮影タイムラグを軽減すると共にＡＦ制御およびＡＥ制御の精度も確保することができる。
【００６２】
図６および図７は、本発明に係る電子カメラ１のＡＦ制御およびＡＥ制御の処理動作を示すフローチャートである。
【００６３】
ステップＳ６０１では、変数ｉの値および変数ｎの値をそれぞれ１に設定する。ステップＳ６０３では、フォーカスレンズ２をレンズ位置Ｐ(ｎ)に配置する。
【００６４】
ステップＳ６０５では、エリア設定部１４は、レンズ位置Ｐ(ｎ)において撮像素子６によって撮像された画像Ｐに対してＡＦエリアおよびＡＥエリアを設定する。
【００６５】
ステップＳ６０７では、小領域ｉに属する画像信号に含まれる輝度信号の成分値をＨＰＦ１６１およびＡＥ評価値積算部１６３に出力する。
【００６６】
ステップＳ６０９では、ＨＰＦ１６１は入力された輝度成分値の高域周波数成分をＡＦ評価値積算部１６２に出力する。ＡＦ評価値積算部１６２はＨＰＦ１６１から出力された高域周波数成分をＡＦ評価値として積算する。
【００６７】
ステップＳ６１１では、ＡＥ評価値算出部１６３が、入力された輝度信号をＡＥ評価値として積算する。ステップＳ６１３では、変数ｉの値が１６であるか否かを判別する。
【００６８】
変数ｉの値が１６である場合はステップＳ６１５に進み、そうでない場合はステップＳ６２９に進む。
【００６９】
ステップＳ６１５では、評価部１４が算出したＡＦ評価値をＡＦｅｖ_Ｐ(ｎ)、ＡＥ評価値をＡＥｅｖ_Ｐ(ｎ)として、対応づけてメモリ１８に一時記憶する。ステップＳ６１７では、変数ｎの値が１３であるか否かを判別する。
【００７０】
変数ｎの値が１３である場合はステップＳ６１９に進み、そうでない場合はステップＳ６３１に進む。
【００７１】
ステップＳ６１９では、算出したＡＦ評価値の中から最大の値をもつＡＦｅｖ_Ｐ(ｎ)を検出する。ステップＳ６２１では、最大のＡＦ評価値を算出したレンズ位置Ｐ(ｎ)にフォーカスレンズ２を配置する。
【００７２】
ステップＳ６２３では、ステップＳ６１９で検出した最大の値をもつＡＦｅｖ_Ｐ(ｎ)に対応づけられているＡＥ評価値ＡＥｅｖ_Ｐ(ｎ)に基づき、露光期間、及び絞り開口量を決定する。
【００７３】
ステップＳ６２５では、ステップＳ６２３で決定した絞り開口量になるように絞りを駆動する。ステップＳ６２７では、メモリに一時記憶していたＡＦ評価値及びＡＥ評価値をすべてクリアする。
【００７４】
ステップＳ６２９では、変数ｉの値をインクリメントし、ステップＳ６０７に戻る。ステップＳ６３１では変数ｎの値をインクリメントし、ステップＳ６０５に戻る。
（まとめ）
上記実施例では、本件発明にかかる電子カメラ１のＡＦ制御およびＡＥ制御の処理動作について説明した。
【００７５】
このようにすることでＡＦ制御と並行してＡＥ制御を行うことができるため、図８に示すように、ΔＴ分だけ撮影タイムラグを短縮することができ、且つ、ＡＦ制御およびＡＥ制御の精度も確保することができる。
【００７６】
尚、上記実施例では、レンズ位置Ｐ１〜Ｐ１３のすべてのレンズ位置にフォーカスレンズを配置し、ＡＦ評価値およびＡＥ評価値を算出するようにしているが、すべてのレンズ位置でＡＦ評価値を算出する必要はなく、ＡＦ評価値が増加傾向から減少傾向に切り換わった段階で最大のＡＦ評価値の検出を行っても良い。
【００７７】
その場合、現在のレンズ位置において算出されたＡＦ評価値と１ステップ前のレンズ位置において算出されたＡＦ評価値の大小関係を比較することで、ＡＦ評価値が増加傾向であるか減少傾向であるかを判別することができる。
【００７８】
また、上記実施例ではＡＦエリアおよびＡＥエリアは共通のエリアおよび小領域を使用しているが、ＡＦエリアおよびＡＥエリアはそれぞれ異なるエリアを設定しても良い。また、小領域もそれぞれ異なる分割数や大きさ、形状であってもよい。
【００７９】
また、上記実施例では、算出されたＡＦ評価値及びＡＥ評価値をメモリ１８に記憶するようにしているが、例えば、記録媒体２４に一時記憶するようにしてもよい。
【００８０】
また、図１の電子カメラをハードウェア、或いは、ハードウェアとソフトウェアの組み合わせによって構成することもできる。
【００８１】
ソフトウェアを用いてを電子カメラを構成する場合、ソフトウェアによって実現される部位についてのブロック図は、その部位の機能ブロック図を表すことになる。
【００８２】
ソフトウェアによって実現される機能はプログラムとして記述され、当該プログラムがプログラム実行装置（例えば、パーソナルコンピュータなど。）によって実行されることによって、その機能が実現される。
【００８３】
具体的には、例えば、図１のブロック図において図示されないプログラム格納用のフラッシュメモリに格納されたプログラムをＣＰＵ２６に実行させることで、上述の各機能を実現することができる。
【００８４】
以上、本発明の一実施例について説明したが、本発明はこれらの実施例に限定されず、その要旨の範囲内で変形及び変更が可能である。
【符号の説明】
【００８５】
２      フォーカスレンズ
４      絞り
６      撮像素子
８      ＣＤＳ／ＡＧＣ／ＡＤＣ回路
１２      信号処理部
１４      エリア設定部
１６      評価部
１６１    ＨＰＦ
１６２    ＡＦ評価値積算部
１６３    ＡＥ評価値積算部
１８      メモリ
２０      表示部
２２      操作部部
２２ｓ    シャッタボタン
２４      記録媒体
２６      ＣＰＵ
２８      ＡＦ評価部
【図１】
2014174489.tif 000003
【図２】
2014174489.tif 000004
【図３】
2014174489.tif 000005
【図４】
2014174489.tif 000006
【図５】
2014174489.tif 000007
【図６】
2014174489.tif 000008
【図７】
2014174489.tif 000009
【図８】
2014174489.tif 000010
【図９】
2014174489.tif 000011